(57)【特許請求の範囲】
【請求項１】
無線通信のための方法であって、
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備え、前記設定を決定することは、レイヤ・シフトが適用されるべきであるか否かを判定することを備える、
を備える方法。
【請求項２】
前記チャネル品質インジケータを用いてアンテナ利得不均衡を検出することと、
レイヤ毎の信号対雑音比を等値化するために、送信アンテナ毎の電力を調整するようにユーザ機器（ＵＥ）に対して指示することと、
を備える請求項１に記載の方法。
【請求項３】
前記チャネル品質インジケータを用いてアンテナ利得不均衡を検出することをさらに備え、
前記設定を決定することは、前記レイヤ・シフト・ディセーブル・モードを選択することを備える、請求項１に記載の方法。
【請求項４】
前記チャネル品質インジケータを用いてアンテナ利得均衡を検出することをさらに備え、
前記設定を決定することは、前記レイヤ・シフト・イネーブル・モードを選択することを備える、請求項１に記載の方法。
【請求項５】
アクノレッジメント／否定的なアクノレッジメント（ＡＣＫ／ＮＡＣＫ）信号をユーザ機器（ＵＥ）へ送信することをさらに備え、
前記設定が、前記レイヤ・シフト・ディセーブル・モードであるべきと決定された場合、前記ＡＣＫ／ＮＡＣＫ信号が、コードワード毎に１つの信号として送信され、
前記設定が、前記レイヤ・シフト・イネーブル・モードであるべきと決定された場合、前記ＡＣＫ／ＮＡＣＫ信号が、複数のコードワード毎に１つの信号として送信される、請求項１に記載の方法。
【請求項６】
ユーザ機器（ＵＥ）への高次レイヤ・シグナリングによって、前記アップリンク通信のための設定を、準静的な設定で実施することをさらに備える、請求項１に記載の方法。
【請求項７】
物理ダウンリンク制御チャネルによって、ユーザ機器（ＵＥ）へ送信されたインジケータを用いて、前記アップリンク通信のための設定を、動的な設定で実施することをさらに備える、請求項１に記載の方法。
【請求項８】
無線通信のための装置であって、
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備え、前記設定を決定することは、レイヤ・シフトが適用されるべきであるか否かを判定することを備える、
のための命令群を保持するメモリと、
前記命令群を実行するプロセッサと、
を備える装置。
【請求項９】
前記メモリはさらに、
前記チャネル品質インジケータを用いてアンテナ利得不均衡を検出することと、
レイヤ毎の信号対雑音比を等値化するために、送信アンテナ毎の電力を調整するようにユーザ機器（ＵＥ）に対してシグナルすることと、
のための命令群を保持する、請求項８に記載の装置。
【請求項１０】
前記メモリはさらに、前記チャネル品質インジケータを用いてアンテナ利得不均衡を検出するための命令群を保持し、
前記設定を決定するための命令群は、前記レイヤ・シフト・ディセーブル・モードを選択するための命令群を備える、請求項８に記載の装置。
【請求項１１】
前記メモリはさらに、前記チャネル品質インジケータを用いてアンテナ利得均衡を検出するための命令群を保持し、
前記設定を決定するための命令群は、前記レイヤ・シフト・イネーブル・モードを選択するための命令群を備える、請求項８に記載の装置。
【請求項１２】
前記メモリはさらに、アクノレッジメント／否定的なアクノレッジメント（ＡＣＫ／ＮＡＣＫ）信号をユーザ機器（ＵＥ）へ送信するための命令群を保持し、
前記設定が、前記レイヤ・シフト・ディセーブル・モードであるべきと決定された場合、前記ＡＣＫ／ＮＡＣＫ信号が、コードワード毎に１つの信号として送信され、
前記設定が、前記レイヤ・シフト・イネーブル・モードであるべきと決定された場合、前記ＡＣＫ／ＮＡＣＫ信号が、複数のコードワード毎に１つの信号として送信される、請求項８に記載の装置。
【請求項１３】
前記メモリはさらに、ユーザ機器（ＵＥ）への高次レイヤ・シグナリングによって、前記設定を、準静的な設定で実施するための命令群を保持する、請求項８に記載の装置。
【請求項１４】
前記メモリはさらに、物理ダウンリンク制御チャネルによって、ユーザ機器（ＵＥ）へ送信されたインジケータを用いて、前記設定を、動的な設定で実施するための命令群を保持する、請求項８に記載の装置。
【請求項１５】
無線通信のための装置であって、
複数入力複数出力（ＭＩＭＯ）無線通信システムのそれぞれのチャネルのチャネル品質インジケータを分析する手段と、
前記チャネル品質インジケータに少なくとも部分的に基づいて、アップリンク通信のための設定を決定する手段と、ここで、前記設定は、レイヤ・シフト・イネーブル・モードおよびレイヤ・シフト・ディセーブル・モードのうちの１つを備え、前記設定を決定する手段は、レイヤ・シフトが適用されるべきであるか否かを判定する手段を備える、
を備える装置。
【請求項１６】
ユーザ機器（ＵＥ）への高次レイヤ・シグナリングによって、前記設定を、準静的な設定で実施する手段をさらに備える、請求項１５に記載の装置。
【請求項１７】
物理ダウンリンク制御チャネルによって、ユーザ機器（ＵＥ）へ送信されたインジケータを用いて、前記設定を、動的な設定で実施する手段をさらに備える、請求項１５に記載の装置。
【請求項１８】
前記チャネル品質インジケータを用いてアンテナ利得均衡を検出する手段をさらに備え、
前記設定を決定する手段は、前記レイヤ・シフト・イネーブル・モードを選択する手段を備える、請求項１５に記載の装置。
【請求項１９】
前記チャネル品質インジケータを用いてアンテナ利得不均衡を検出する手段をさらに備え、
前記設定を決定する手段は、前記レイヤ・シフト・ディセーブル・モードを選択する手段を備える、請求項１５に記載の装置。
【請求項２０】
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備え、前記設定を決定することは、レイヤ・シフトが適用されるべきであるか否かを判定することを備える、
をプロセッサに対して実行させるように構成された、コード化された命令群を保持するコンピュータ読取可能な記録媒体。
【請求項２１】
ユーザ機器への高次レイヤ・シグナリングによって、前記設定を、準静的な設定で実施するための命令群を保持する、請求項２０に記載のコンピュータ読取可能な記録媒体。
【請求項２２】
物理ダウンリンク制御チャネルによって、ユーザ機器（ＵＥ）へ送信されたインジケータを用いて、前記設定を、動的な設定で実施するための命令群を保持する、請求項２０に記載のコンピュータ読取可能な記録媒体。
【請求項２３】
無線通信のための方法であって、
複数入力複数出力（ＭＩＭＯ）無線通信システムにおけるユーザ機器（ＵＥ）からのレポートを用いて、前記ＵＥの複数のアンテナのうちの異なるアンテナのための電力増幅（ＰＡ）を判定することと、
前記ＵＥの複数のアンテナのうちの異なるアンテナのための前記ＰＡに少なくとも部分的に基づいて、レイヤ・シフトを適用するか否かを判定することと、
前記レイヤ・シフトが適用されるか否かに少なくとも部分的に基づいて、アップリンク通信を設定することと、
を備える方法。
【請求項２４】
前記設定することは、前記ＵＥが、複数のアンテナのうちの異なるアンテナのために異なるＰＡを適用しないとの判定に応じて、前記アップリンク通信のためのレイヤ・シフトをイネーブルすることを備える、請求項２３に記載の方法。
【請求項２５】
前記設定することは、前記ＵＥが、複数のアンテナのうちの異なるアンテナのために異なるＰＡを適用するとの判定に応じて、前記アップリンク通信のためのレイヤ・シフトをディセーブルすることを備える、請求項２３に記載の方法。
【請求項２６】
前記設定することは、前記ＵＥへの高次レイヤ・シグナリングによって、レイヤ・シフトを設定することを備える、請求項２３に記載の方法。
【請求項２７】
前記設定することは、前記ＵＥと基地局との間の予め定められた１対１のマッピングを用いることによって、レイヤ・シフトを設定することを備える、請求項２３に記載の方法。
【請求項２８】
無線通信のための装置であって、
複数入力複数出力（ＭＩＭＯ）無線通信システムにおけるユーザ機器（ＵＥ）からのレポートを用いて、前記ＵＥの複数のアンテナのうちの異なるアンテナのための電力増幅（ＰＡ）を判定するための命令群と、
前記ＵＥの複数のアンテナのうちの異なるアンテナのための前記ＰＡに少なくとも部分的に基づいて、レイヤ・シフトを適用するか否かを判定するための命令群と、
前記レイヤ・シフトが適用されるか否かに少なくとも部分的に基づいて、アップリンク通信を設定するための命令群と、
を保持するメモリと、
前記命令群を実行するプロセッサと、
を備える装置。
【請求項２９】
前記メモリはさらに、前記ＵＥが、複数のアンテナのうちの異なるアンテナのために異なるＰＡを適用しないとの判定に応じて、前記アップリンク通信のためのレイヤ・シフトをイネーブルするための命令群を保持し、
前記メモリはさらに、前記ＵＥが、複数のアンテナのうちの異なるアンテナのために異なるＰＡを適用するとの判定に応じて、前記アップリンク通信のためのレイヤ・シフトをディセーブルするための命令群を保持する、請求項２８に記載の装置。
【請求項３０】
前記メモリはさらに、前記ＵＥへの高次レイヤ・シグナリングによって、前記レイヤ・シフトを設定するための命令群を保持する、請求項２８に記載の装置。
【請求項３１】
前記メモリはさらに、前記ＵＥと基地局との間の予め定められた１対１のマッピングを用いることによって、前記レイヤ・シフトを設定するための命令群を保持する、請求項２８に記載の装置。
【請求項３２】
無線通信のための装置であって、
複数入力複数出力（ＭＩＭＯ）無線通信システムにおけるユーザ機器（ＵＥ）からのレポートを用いて、前記ＵＥの複数のアンテナのうちの異なるアンテナのための電力増幅（ＰＡ）を判定する手段と、
前記ＵＥの複数のアンテナのうちの異なるアンテナのための前記ＰＡに少なくとも部分的に基づいて、レイヤ・シフトを適用するか否かを判定する手段と、
前記レイヤ・シフトが適用されるか否かに少なくとも部分的に基づいて、アップリンク通信を設定する手段と、
を備える装置。
【請求項３３】
前記設定する手段は、前記ＵＥへの高次レイヤ・シグナリングによって、レイヤ・シフト・モードを設定する手段を備える、請求項３２に記載の装置。
【請求項３４】
前記ＵＥと基地局との間の予め定められた１対１のマッピングを用いて、前記レイヤ・シフトを設定する手段をさらに備える、請求項３２に記載の装置。
【請求項３５】
前記レイヤ・シフトを設定する手段は、前記ＵＥが、複数のアンテナのうちの異なるアンテナのために異なるＰＡを適用しないとの判定に応じて、前記アップリンク通信のためのレイヤ・シフトをイネーブルする手段を備え、
前記レイヤ・シフトを設定する手段は、前記ＵＥが、複数のアンテナのうちの異なるアンテナのために異なるＰＡを適用するとの判定に応じて、前記アップリンク通信のためのレイヤ・シフトをディセーブルする手段を備える、請求項３２に記載の装置。
【請求項３６】
複数入力複数出力（ＭＩＭＯ）無線通信システムにおけるユーザ機器（ＵＥ）からのレポートを用いて、前記ＵＥの複数のアンテナのうちの異なるアンテナのための電力増幅（ＰＡ）を判定することと、
前記ＵＥの複数のアンテナのうちの異なるアンテナのための前記ＰＡに少なくとも部分的に基づいて、レイヤ・シフトを適用するか否かを判定することと、
前記レイヤ・シフトが適用されるか否かに少なくとも部分的に基づいて、アップリンク通信を設定することと、
をプロセッサに対して実行させるように構成された、コード化された命令群を保持するコンピュータ読取可能な記録媒体。
【請求項３７】
前記ＵＥへの高次レイヤ・シグナリングによって、前記レイヤ・シフトを設定するための命令群を保持する、請求項３６に記載のコンピュータ読取可能な記録媒体。
【請求項３８】
前記ＵＥと基地局との間の予め定められた１対１のマッピングを用いて、前記レイヤ・シフトを設定するための命令群を保持する、請求項３６に記載のコンピュータ読取可能な記録媒体。
【発明の詳細な説明】
【関連出願に対する相互参照】
【０００１】
本願は、全体が本明細書において参照によって組み込まれている２００９年７月３１日出願の「アップリンクＭＩＭＯのためのレイヤ・シフトの方法」（METHODS OF LAYER SHIFTING FOR UPLINK MIMO）と題された米国仮出願６１／２３０，６６４号に対する３５Ｕ．Ｓ．Ｃ§１１９（ｅ）にしたがう優先権を主張する。
【技術分野】
【０００２】
以下の記載は、一般に、無線通信システムに関し、さらに詳しくは、複数入力複数出力（ＭＩＭＯ）システムにおけるレイヤ・シフトのための方法に関する。
【背景技術】
【０００３】
無線通信システムは、例えば音声、データ等のような様々なタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰロング・ターム・イボリューション（ＬＴＥ）システム、および直交周波数分割多元接続（ＯＦＤＭＡ）システムを含んでいる。本明細書に記載された技術は、これらおよび同様のシステムに関連する。
【０００４】
直交周波数分割多重化（ＯＦＤＭ）通信システムは、多くのシステム帯域幅を、周波数サブチャネル、トーン、または周波数ビンとも称される複数（ＮＦ個）のサブキャリアに分割する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる時間インタバルのおのおのにおいて、変調シンボルは、ＮＦ個の周波数サブキャリアのおのおので送信されうる。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【０００５】
一般に、無線多元接続通信システムは、順方向リンクおよび逆方向リンクによる送信によって１または複数の基地局と通信する複数の無線端末のための通信を同時にサポートしうる。順方向リンク（すなわちダウンリンク）は、基地局からアクセス端末への通信リンクを称し、逆方向リンク（すなわちアップリンク）は、アクセス端末から基地局への通信リンクを称する。この通信リンクは、単一入力単一出力システム、複数入力単一出力システム、あるいは複数入力複数出力（ＭＩＭＯ）システム等によって確立されうる。
【０００６】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されたＭＩＭＯチャネルは、空間チャネルとも称されるＮＳ個の独立したチャネルへ分解されうる。一般に、ＮＳ個の独立したチャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信と逆方向リンク送信とが、同じ周波数領域にある。これによって、アクセス・ポイントは、アクセス・ポイントにおいて複数のアンテナが利用可能である場合、順方向リンクで、ビームフォーミング利得を送信できるようになる。
【発明の概要】
【０００７】
以下は、権利主張された主題のうちのいくつかの態様の基本的な理解を提供するために、簡単な概要を示す。この概要は、広範な概観ではなく、権利主張された主題の重要要素／決定的要素を特定することでもなく、範囲を線引きすることも意図されていない。その唯一の目的は、いくつかの概念を、後に示されるより詳細な記載に対する前置きとして、より簡単な形式で表すことである。
【０００８】
方法およびシステムは、複数入力複数出力（ＭＩＭＯ）無線通信システムのためのレイヤ・シフト・オプションを提供する。１つの態様では、無線通信のための方法が提供される。この方法は、複数入力複数出力（ＭＩＭＯ）無線通信システムのそれぞれのレイヤのチャネル品質インジケータを分析することと、チャネル品質インジケータに少なくとも部分的に基づいて、アップリンク通信のための設定を決定することとを含む。この設定は、レイヤ・シフト・イネーブル・モードおよびレイヤ・シフト・ディセーブル・モードのうちの１つを備える。
【０００９】
別の態様では、無線通信のための方法が提供される。この方法は、複数入力複数出力（ＭＩＭＯ）無線通信システムにおけるユーザ機器（ＵＥ）からのレポートを用いて、ＵＥが複数のアンテナのうちの異なるアンテナのために異なる電力増幅（ＰＡ）を適用するかを判定することと、この判定に少なくとも部分的に基づいて、アップリンク通信のためのレイヤ・シフトを設定することとを含む。
【００１０】
さらに別の態様は、無線通信のための装置が提供される。この装置は、複数入力複数出力（ＭＩＭＯ）無線通信システムのそれぞれのレイヤのチャネル品質インジケータを分析することと、チャネル品質インジケータに少なくとも部分的に基づいて、アップリンク通信のための設定を決定することとを備え、ここで、この設定は、レイヤ・シフト・イネーブル・モードおよびレイヤ・シフト・ディセーブル・モードのうちの１つを備える、ための命令群を保持するメモリと、これら命令群を実行するプロセッサとを含む。
【００１１】
別の態様では、無線通信のための装置が提供される。この装置は、複数入力複数出力（ＭＩＭＯ）無線通信システムにおけるユーザ機器（ＵＥ）からのレポートを用いて、ＵＥが複数のアンテナのうちの異なるアンテナのために異なる電力増幅（ＰＡ）を適用するかを判定することと、この判定に少なくとも部分的に基づいて、アップリンク通信のためのレイヤ・シフトを設定することとのための命令群を保持するメモリと、これら命令群を実行するプロセッサとを含む。
【００１２】
別の態様によれば、無線通信のための装置が提供される。この装置は、複数入力複数出力（ＭＩＭＯ）無線通信システムのそれぞれのチャネルのチャネル品質インジケータを分析する手段と、チャネル品質インジケータに少なくとも部分的に基づいて、アップリンク通信のための設定を決定する手段とを含む。ここで、この設定は、レイヤ・シフト・イネーブル・モードおよびレイヤ・シフト・ディセーブル・モードのうちの１つを備える。
【００１３】
別の態様によれば、無線通信のための装置が提供される。この装置は、複数入力複数出力（ＭＩＭＯ）無線通信システムにおけるユーザ機器（ＵＥ）からのレポートを用いて、ＵＥが複数のアンテナのうちの異なるアンテナのために異なる電力増幅（ＰＡ）を適用するかを判定する手段と、この判定に少なくとも部分的に基づいて、アップリンク通信のためのレイヤ・シフトを設定する手段とを含む。
【００１４】
さらに別の態様によれば、コンピュータ・プログラム製品が提供される。コンピュータ・プログラム製品は、複数入力複数出力（ＭＩＭＯ）無線通信システムのそれぞれのレイヤのチャネル品質インジケータを分析することと、チャネル品質インジケータに少なくとも部分的に基づいて、アップリンク通信のための設定を決定することと、をプロセッサに対して実行させるように構成されたコード化された命令群を保持するコンピュータ読取可能な記録媒体を含む。ここで、この設定は、レイヤ・シフト・イネーブル・モードおよびレイヤ・シフト・ディセーブル・モードのうちの１つを備える。
【００１５】
別の態様によれば、コンピュータ・プログラム製品が提供される。このコンピュータ・プログラム製品は、複数入力複数出力（ＭＩＭＯ）無線通信システムにおけるユーザ機器（ＵＥ）からのレポートを用いて、ＵＥが複数のアンテナのうちの異なるアンテナのために異なる電力増幅（ＰＡ）を適用するかを判定することと、この判定に少なくとも部分的に基づいて、アップリンク通信のためのレイヤ・シフトを設定することと、をプロセッサに対して実行させるように構成されたコード化された命令群を保持するコンピュータ読取可能な記録媒体を含む。
【００１６】
１つの態様では、ユーザ機器（ＵＥ）は、レイヤ・シフトまたは非レイヤ・シフトのＭＩＭＯアップリンク・チャネルのために設定される。したがって、基地局またはイボルブド・ノードＢ（ｅＮＢ）は、一例において、ユーザ機器カテゴリ・レポートに基づいて、ＵＥを、レイヤ・シフト・モードまたは非レイヤ・シフト・モードに設定する。例えば、ＵＥが、異なる送信（Ｔｘ）アンテナに、異なる電力増幅（ＰＡ）クラスを有しているのであれば、ｅＮＢは、ＵＥを、非レイヤ・シフト・モードに設定し、そうではない場合には、ＵＥは、レイヤ・シフト・モードに設定される。この設定は、高次レイヤ・シグナリングによってｅＮＢからシグナルされうる。あるいは、または、それに加えて、ＵＥは、ｅＮＢからの設定信号を用いることなく、予め定められた１対１のマッピングによって設定されうる。例えば、アクセス端末が、異なるＴｘアンテナについて異なるＰＡクラスを有しているのであれば、非レイヤ・シフトが設定され、そうではない場合に、レイヤ・シフトが設定される。
【００１７】
あるいは、また、それに加えて、ｅＮＢは、推定されたチャネル／ＣＱＩ（チャネル品質インジケータ）に基づいて、ＵＥをレイヤ・シフト・モードまたは非レイヤ・シフト・モードに設定する。ｅＮＢは、レイヤ毎にチャネル／ＣＱＩを推定し、周波数分割デュプレクス（ＦＤＤ）の場合、システムは、サウンディング基準信号（ＳＲＳ）を適用し、時分割デュプレクス（ＴＤＤ）の場合、システムは、ＳＲＳまたはチャネル相互性を適用する。複数のレイヤにわたって推定されたチャネル／ＣＱＩが、強い不均衡を有している場合、ｅＮＢは、レイヤ毎に受信した信号対雑音比（ＳＮＲ）が互いに接近するように、送信アンテナ毎に電力制御を実行し、もって、ＵＥをレイヤ・シフトを用いて設定しうる。別のオプションでは、システムは、ＵＥを、非レイヤ・シフト・モードに設定する。複数のレイヤにわたって推定されたチャネル／ＣＱＩが、互いに接近している場合、システムは、ＵＥを、レイヤ・シフト・モードに設定する。
【００１８】
レイヤ・シフト・モードの設定は、準静的または動的でありうる。準静的な設定は、基地局からＵＥへの高次レイヤ・シグナリングを用いて実施されうる。動的な設定は、物理ダウンリンク制御チャネル（ＰＤＣＣＨ）を用いて実施されうる。ここでは、基地局は、ＵＥに対して、レイヤ・シフト・モードをスイッチ・オンするか否かを示すために、アップリンク（ＵＬ）許可にビットを追加する。あるいは、または、それに加えて、レイヤ・シフトがオンであるかオフであるかをＵＥに対して示すために、巡回冗長検査（ＣＲＣ）マスキングまたはスクランブリングの状態が、基地局によって使用されうる。
【００１９】
前述した目的および関連する目的を達成するために、本明細書では、ある例示的な態様が、以下の説明および添付図面と関連して説明される。しかしながら、これらの態様は、権利主張された主題の原理が適用されるさまざまな方法のうちのほんのいくつかを示すのみであり、権利主張された主題は、そのようなすべての態様およびそれらの均等物を含むことが意図される。図面と連携して考慮された場合、以下に示す詳細説明から、その他の利点および斬新な特徴が明らかになりうる。
【図面の簡単な説明】
【００２０】
【図１】図１は、無線通信システムにおいてレイヤ・シフトを適用するシステムの高レベル・ブロック図を図示する。
【図２】図２は、レイヤ・シフトを適用する通信装置の例を例示する。
【図３】図３は、多元接続無線通信システムを例示する。
【図４】図４は、レイヤ・シフトともに適用されうる通信システムの例を例示する。
【図５】図５は、レイヤ・シフトともに適用されうる通信システムの例を例示する。
【図６】図６は、典型的な無線方法を例示する。
【図７】図７は、典型的な無線システムを例示する。
【図８】図８は、無線通信システムにおいてＭＩＭＯを用いるアクセス端末と基地局との間のアップリンク送信の態様を例示する。
【図９Ａ】図９Ａは、無線通信システムにおけるレイヤ・シフトの概念的な態様を例示する。
【図９Ｂ】図９Ｂは、無線通信システムにおけるレイヤ・シフトの概念的な態様を例示する。
【図１０】図１０は、チャネル品質インジケータに応じて通信モードを設定することを含む典型的な無線方法を例示する。
【図１１】図１１は、チャネル品質インジケータに応じて通信モードを設定することを含む典型的な無線システムを例示する。
【図１２】図１２は、ユーザ機器カテゴリ・レポートに応じて通信モードを設定することを含む典型的な無線方法を例示する。
【図１３】図１３は、ユーザ機器カテゴリ・レポートに応じて通信モードを設定することを含む典型的な無線システムを例示する。
【発明を実施するための形態】
【００２１】
複数入力複数出力（ＭＩＭＯ）システムにおけるアップリンク通信のためにレイヤ・シフト・オプションを可能にするためのシステムおよび方法が提供される。１つの態様では、無線通信方法が提供される。この方法は、複数入力複数出力無線通信システムにおける品質レポートまたはチャネル品質インジケータを分析することを含む。これは、品質レポートまたはチャネル品質インジケータを考慮して、レイヤ・シフトが適用されるべきかを判定することを含む。この方法はさらに、品質レポートまたはチャネル品質インジケータに基づいて、アップリンク通信におけるレイヤ・シフトをイネーブルまたはディセーブルすることをも含む。
【００２２】
図１を参照して、システム１００は、無線ネットワーク１１０においてレイヤ・シフト構成要素を適用する。このシステム１００は、（ノード、イボルブド・ノードＢ（ｅＮＢ）、サービス提供ｅＮＢ、ターゲットｅＮＢ、フェムト局、ピコ局とも称される）１または複数の基地局１２０を含む。これらは、さまざまなデバイス１３０へ無線ネットワーク１１０を介して通信することができるエンティティでありうる。例えば、おのおののデバイス１３０は、アクセス端末（ＡＴ）（端末、ユーザ機器（ＵＥ）、またはモビリティ管理エンティティ（ＭＭＥ）またはモバイル・デバイスとも称される）でありうる。基地局１２０およびデバイス１３０は、レイヤ・シフト構成要素１４０、１４４をそれぞれ含みうる。基地局間、基地局とデバイスとの間、および／または、基地局、デバイス、および、例えばネットワーク・マネジャまたはサーバのようなその他のネットワーク構成要素間で、レイヤ・シフトが生じうることが認識されるべきである。図示するように、基地局１２０は、ダウンリンク１６０によってデバイス１３０（または複数のデバイス）に通信し、アップリンク１７０によってデータを受信する。デバイス１３０はまた、ダウンリンク・チャネルによってデータを送信し、アップリンク・チャネルによってデータを受信するので、アップリンクおよびダウンリンクといった名称は任意である。２つの構成要素１２０、１３０しか示されていないが、ネットワーク１１０では、２つよりも多くの構成要素が適用されうることが注目される。ここで、このような追加の構成要素は、本明細書における基準信号調整のために適応されうる。
【００２３】
マルチ・コードワード送信が、アップリンク（ＵＬ）で提供されうる。ＵＬにおけるピーク・レートを拡大するために、さまざまなオプションが提供されうる。１つのオプションでは、ＡＣＫ／ＮＡＣＫバンドリングを持つレイヤ・シフトが提供されうる。ここでは、複数のコードワードをアクノレッジ（ＡＣＫ）または否定的なアクノレッジ（ＮＡＣＫ）するために、単一の物理ハイブリッド自動反復要求インジケータ・チャネル（ＰＨＩＣＨ）のみが適用されうる。大きなアンテナ利得不均衡（ＡＧＩ）を伴う性能低下が観察されうる。
【００２４】
非レイヤ・シフトが選択され、複数のＰＨＩＣＨが適用される場合、おのおののコードワードは、個別のＡＣＫ／ＮＡＣＫ（例えば、より大きなＰＨＩＣＨオーバヘッド）を有する。一般に、ＡＧＩが大きければ、性能低下はない。通常、レイヤ・シフトは、少ないＰＨＩＣＨオーバヘッドしか必要としないが、強いＡＧＩによる性能損失をもたらす。一方、非レイヤ・シフトは、より多くのＰＨＩＣＨオーバヘッドを必要とするが、性能損失はない。以下により詳細に説明されるように、ｅＮＢまたは基地局１２０は、アクセス端末１３０を、レイヤ・シフト・モードまたは非レイヤ・シフト・モードかの何れかに自動的に設定しうる。
【００２５】
システム１００は、複数入力複数出力（ＭＩＭＯ）無線通信システムのためにレイヤ・シフト・オプションを提供する。１つの態様では、アクセス端末は、レイヤ・シフトＭＩＭＯアップリンク・チャネルまたは非レイヤ・シフトＭＩＭＯアップリンク・チャネルを処理するように構成される。したがって、基地局またはｅＮＢは、一例では、ユーザ機器カテゴリ・レポートに基づいて、アクセス端末を、レイヤ・シフト・モードまたは非レイヤ・シフト・モードに設定する。アクセス端末が、異なる送信（Ｔｘ）アンテナに異なる電力増幅（ＰＡ）クラスを有しているとカテゴリ・レポートが示す場合、ｅＮＢは、アクセス端末を非レイヤ・シフト・モードに設定し、それ以外の場合、アクセス端末は、レイヤ・シフト・モードに設定される。この設定は、高次レイヤ・シグナリングによってなされるか、または、１対１のマッピングでありうる。例えば、アクセス端末が、異なるＰＡクラスを有している場合、非レイヤ・シフトが設定され、そうではない場合、レイヤ・シフトが設定される。
【００２６】
別のオプションでは、ｅＮＢは、おのおののチャネルについて推定されたＣＱＩ（チャネル品質インジケータ）に基づいて、アクセス端末を、レイヤ・シフト・モードまたは非レイヤ・シフト・モードに設定する。ｅＮＢは、レイヤ毎にチャネル／ＣＱＩを推定し、周波数分割デュプレクス（ＦＤＤ）の場合、システムは、サウンディング基準信号（ＳＲＳ）を適用し、時分割デュプレクス（ＴＤＤ）の場合、システムは、ＳＲＳまたはチャネル相互性を適用する。複数のレイヤにわたって推定されたＣＱＩが、強い不均衡を有している場合、ｅＮＢは、レイヤ毎に受信した信号対雑音比（ＳＮＲ）が互いに接近する（例えば、しきい値によって判定された近さになる）ように、送信アンテナ毎に電力制御を実行し、もって、アクセス端末にレイヤ・シフトを設定しうる。別のオプションでは、システムは、アクセス端末を、非レイヤ・シフト・モードに設定する。複数のレイヤにわたって推定されたＣＱＩが、互いに接近している場合、システムは、アクセス端末を、レイヤ・シフト・モードに設定する。
【００２７】
レイヤ・シフト・モードまたは非レイヤ・シフト・モードの設定は、準静的または動的でありうる。準静的な設定は、高次レイヤ・シグナリングを介してなされる。動的な設定は、物理ダウンリンク制御チャネル（ＰＤＣＣＨ）を介してなされうる。ここでは、アクセス端末に対して、レイヤ・シフト・モードをスイッチ・オンするか否かを示すために、アップリンク（ＵＬ）許可にビットを追加する。レイヤ・シフトがオンであるかオフであるかを示すために、巡回冗長検査（ＣＲＣ）マスキングまたはスクランブリングが適用されうる。
【００２８】
システム１００は、アクセス端末またはモバイル・デバイスとともに適用され、例えば、ＳＤカード、ネットワーク・カード、無線ネットワーク・カード、（ラップトップ、デスクトップ、情報携帯端末ＰＤＡを含む）コンピュータ、モバイル電話、スマート・フォン、または、ネットワークにアクセスするために利用されうるその他任意の適切な端末のようなモジュールでありうることが注目される。端末は、アクセス構成要素（図示せず）を経由してネットワークにアクセスする。一例において、端末とアクセス構成要素との間の接続は、本質的には無線である。ここでは、アクセス構成要素は基地局であり、モバイル・デバイスは無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重化（ＯＦＤＭ）、ＦＬＡＳＨ  ＯＦＤＭ、直交周波数分割多元接続（ＯＦＤＭＡ）、あるいはその他任意の適切なプロトコルを含む任意の適切な無線プロトコルによって通信することができる。
【００２９】
アクセス構成要素は、有線ネットワークあるいは無線ネットワークに関連付けられたアクセス・ノードでありうる。その目的のために、アクセス構成要素は、例えばルータ、スイッチ等となりうる。アクセス構成要素は、他のネットワーク・ノードと通信するために、例えば通信モジュールのような１または複数のインタフェースを含みうる。さらに、アクセス構成要素は、セルラ・タイプ・ネットワーク内の基地局（または、無線アクセス・ポイント）でありうる。ここで、基地局（または、無線アクセス・ポイント）は、複数の加入者に無線有効通信エリアを提供するために利用されうる。そのような基地局（あるいは無線アクセス・ポイント）は、１または複数のセルラ電話および／またはその他の無線端末に、有効通信範囲の連続した領域を提供するように構成されうる。
【００３０】
本明細書に記載された技術は、さまざまな手段によって実現される。例えば、これらの技術は、ハードウェア、ソフトウェア、あるいはそれらの組み合わせで実現されうる。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。ソフトウェアを用いた場合、本明細書に記載された機能を実行するモジュール（例えば、手順、機能等）によって実現される。ソフトウェア・コードがメモリ・ユニット内に格納され、プロセッサによって実行されうる。
【００３１】
図２は、例えば無線端末のように、無線通信装置でありうる通信装置２００を例示する。それに加えて、あるいは、その代わりに、通信装置２００は、有線ネットワーク内に存在しうる。通信装置２００は、無線通信端末において信号分析を実行するための命令群を保持するメモリ２０２を含みうる。さらに、通信装置２００は、メモリ２０２内の命令群、および／または、他のネットワーク・デバイスから受信した命令群を実行するプロセッサ２０４を含みうる。これら命令群は、通信装置２００または関連する通信装置を設定または動作させることに関連しうる。
【００３２】
図３に示すように、多元接続無線通信システム３００が例示される。多元接続無線通信システム３００は、セル３０２、３０４および３０６を含む複数のセルを含んでいる。システム３００の態様では、セル３０２、セル３０４、およびセル３０６は、複数のセクタを含むノードＢを含む。これら複数のセクタは、セルの一部内のＵＥとの通信を担当するアンテナをおのおの備えたアンテナのグループによって形成されうる。例えば、セル３０２では、アンテナ・グループ３１２、３１４および３１６は、おのおの異なるセクタに対応する。セル３０４では、アンテナ・グループ３１８、３２０および３２２は、おのおの異なるセクタに対応する。セル３０６では、アンテナ・グループ３２４、３２６および３２８は、おのおの異なるセクタに対応する。セル３０２、３０４および３０６は、例えばアクセス端末（ＡＴ）であるいくつかの無線通信デバイスを含みうる。これらは、おのおののセル３０２、３０４、または３０６の１または複数のセクタと通信しうる。例えば、ＡＴ３３０、３３２は、ノードＢ３４２と通信し、ＡＴ３３４、３３６は、ノードＢ３４４と通信し、ＡＴ３３８、３４０は、ノードＢ３４６と通信しうる。
【００３３】
図４を参照して、１つの態様にしたがう多元接続無線通信システムが図示される。アクセス・ポイント４００（ＡＰ）は、１つは４０４、４０６を含み、他のものは４０８、４１０を含み、さらに他のものは４１２、４１４を含む複数のアンテナ・グループを含んでいる。図４では、おのおののアンテナ・グループについて２本のアンテナしか示されていない。しかしながら、おのおののアンテナ・グループについて、それより多いまたはそれより少ないアンテナが利用されうる。アクセス端末４１６（ＡＴ）はアンテナ４１２およびアンテナ４１４と通信しており、アンテナ４１２、４１４は、順方向リンク４２０でアクセス端末４１６へ情報を送信し、逆方向リンク４１８でアクセス端末４１６から情報を受信する。アクセス端末４２２は、アンテナ４０６、４０８と通信する。ここで、アンテナ４０６、４０８は、順方向リンク４２６でアクセス端末４２２へ情報を送信し、逆方向リンク４２４でアクセス端末４２２から情報を受信する。ＦＤＤシステムでは、通信リンク４１８、４２０、４２４、４２６は、通信のために、異なる周波数を使用しうる。例えば、順方向リンク４２０は、逆方向リンク４１８によって使用されるものとは異なる周波数を使用しうる。
【００３４】
通信するように設計された領域および／またはアンテナのおのおののグループは、しばしば、アクセス・ポイントのセクタと称される。おのおののアンテナ・グループは、アクセス・ポイント４００によってカバーされる領域のセクタ内のアクセス端末と通信するように設計される。順方向リンク４２０、４２６による通信では、アクセス・ポイント４００の送信アンテナは、異なるアクセス端末４１６、４２４の順方向リンクの信号対雑音比を改善するために、ビームフォーミングを利用する。さらに、有効通信範囲にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。アクセス・ポイントは、端末と通信するために使用される固定局となることができ、アクセス・ポイント、ノードＢ、イボルブド・ノードＢ（ｅＮＢ）、またはその他のいくつかの用語で称される。アクセス端末はまた、ユーザ機器（ＵＥ）、無線通信デバイス、端末、モバイル・デバイス、あるいはその他いくつかの用語で称される。
【００３５】
図５を参照して、送信機システム５１０（アクセス・ポイントまたは基地局としても知られている）および受信機システム５５０（アクセス端末またはユーザ機器としても知られている）を含むシステム５００が例示されている。送信機システム５１０では、多くのデータ・ストリーム用のトラフィック・データが、データ・ソース５１２から送信（ＴＸ）データ・プロセッサ５１４に提供される。おのおののデータ・ストリームは、それぞれの送信アンテナを介して送信される。ＴＸデータ・プロセッサ５１４は、おのおののデータ・ストリームのトラフィック・データをフォーマットし、このデータ・ストリームのために選択された特定の符号化スキームに基づいて符号化し、インタリーブして、符号化されたデータを提供する。
【００３６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ５３０によって実行される命令群によって決定されうる。
【００３７】
すべてのデータ・ストリームの変調シンボルは、（例えば、ＯＦＤＭのために）変調シンボルをさらに処理するＴＸ  ＭＩＭＯプロセッサ５２０に提供される。その後、ＴＸ  ＭＩＭＯプロセッサ５２０は、ＮＴ個の変調シンボル・ストリームを、ＮＴ個の送信機（ＴＭＴＲ）５２２ａ乃至５２２ｔへ提供する。ある実施形態では、ＴＸ  ＭＩＭＯプロセッサ５２０は、データ・ストリームのシンボル、および、データ・シンボルが送信されるアンテナに、ビームフォーミング重みを適用する。
【００３８】
おのおのの送信機５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機５２２ａ乃至５２２ｔからのＮＴ個の変調信号は、その後、ＮＴ個のアンテナ５２４ａ乃至５２４ｔからそれぞれ送信される。
【００３９】
受信機システム５５０では、送信された変調信号がＮＲ個のアンテナ５５２ａ乃至５５２ｒによって受信され、おのおののアンテナ５５２からの受信信号が、それぞれの受信機（ＲＣＶＲ）５５４ａ乃至５５４ｒへ提供される。おのおのの受信機５５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４０】
ＲＸデータ・プロセッサ５６０は、ＮＲ個の受信機５５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ５６０は、検出されたおのおののシンボル・ストリームを復調し、デインタリーブし、復号して、このデータ・ストリームのためのトラフィック・データを復元する。ＲＸデータ・プロセッサ５６０による処理は、送信機システム５１０におけるＴＸ  ＭＩＭＯプロセッサ５２０およびＴＸデータ・プロセッサ５１４によって実行されるものと相補的である。
【００４１】
プロセッサ５７０は、（後述するように、）どの事前符号化行列を使用するのかを定期的に決定する。さらに、プロセッサ５７０は、行列インデクス部およびランク値部を備えた逆方向リンク・メッセージを規定する。これら逆方向リンク・メッセージは、通信リンクおよび／または受信データ・ストリームに関するさまざまなタイプの情報を含みうる。逆方向リンク・メッセージは、その後、多くのデータ・ストリームのトラフィック・データをデータ・ソース５３６から受け取るＴＸデータ・プロセッサ５３８によって処理され、変調器５８０によって変調され、送信機５５４ａ乃至５５４ｒによって調整され、送信機システム５１０へ送り戻される。
【００４２】
送信機システム５１０では、受信機システム５５０からの変調信号がアンテナ５２４によって受信され、受信機５２２によって調整され、復調器５４０によって復調され、ＲＸデータ・プロセッサ５４２によって処理されることによって、受信機システム５５０によって送信された逆方向リンク・メッセージが抽出される。プロセッサ５３０は、ビームフォーミング重みを決定するために、どの事前符号化行列を使用するかを決定し、その後、抽出されたメッセージを処理しうる。
【００４３】
図６を参照して、無線通信方法が例示される。説明を単純にする目的で、これら方法（および本明細書に記載されたその他の方法）は、一連の動作として示され説明されているが、これら方法は、１または複数の態様にしたがって、いくつかの動作が本明細書で示され記載されたものとは異なる順序で、あるいは他の動作と同時に生じうるので、動作の順序によって限定されない  ことが理解され認識されるべきである。例えば、当業者であれば、これら方法はその代わりに、例えば状態図におけるように、一連の相互関連する状態またはイベントとして表されうることを理解し認識するだろう。さらに、権利主張された主題にしたがって方法を実現するために、必ずしも例示された全ての動作が必要とされる訳ではない。
【００４４】
６１０では、方法６００は、複数入力複数出力無線通信システムにおける品質レポートまたはチャネル品質インジケータを分析することを含む。６２０では、方法６００は、品質レポートまたはチャネル品質インジケータを考慮して、レイヤ・シフトが適用されるべきかを判定することを含む。６３０では、方法は、品質レポートまたはチャネル品質インジケータに基づいて、アップリンク通信におけるレイヤ・シフトをイネーブルまたはディセーブルすることを含む。
【００４５】
図７を参照して、無線通信システム７００が提供される。システム７００は、複数入力複数出力無線通信システムにおける品質レポートまたはチャネル品質インジケータを分析するための論理モジュール７０２または手段を含む。これは、品質レポートまたはチャネル品質インジケータを考慮して、レイヤ・シフトが適用されるべきかを判定するための論理モジュール７０４または手段を含む。システム７００はまた、品質レポートまたはチャネル品質インジケータに基づいて、アップリンク通信におけるレイヤ・シフトを設定するための論理モジュール７０６または手段を含む。
【００４６】
別の実施形態では、通信装置が提供される。この装置は、複数入力複数出力無線通信システムにおける品質レポートまたはチャネル品質インジケータを分析することと、品質レポートまたはチャネル品質インジケータを考慮して、レイヤ・シフトが適用されるべきかを判定することと、品質レポートまたはチャネル品質インジケータに基づいて、アップリンク通信におけるレイヤ・シフトをイネーブルまたはディセーブルすることと、のための命令群を保持するメモリと、これら命令群を実行するプロセッサとを含む。
【００４７】
別の態様では、コンピュータ・プログラム製品が提供される。このコンピュータ・プログラム製品は、コンピュータに対して、複数入力複数出力無線通信システムにおける品質レポートまたはチャネル品質インジケータを分析させるためのコードと、コンピュータに対して、品質レポートまたはチャネル品質インジケータを考慮して、レイヤ・シフトが適用されるべきかを判定させるためのコードと、コンピュータに対して、品質レポートまたはチャネル品質インジケータに基づいて、アップリンク通信におけるレイヤ・シフトを設定させるためのコードとを含むコンピュータ読取可能媒体を含む。
【００４８】
別の態様では、複数入力複数出力無線通信システムにおける品質レポートまたはチャネル品質インジケータを分析することと、品質レポートまたはチャネル品質インジケータを考慮して、レイヤ・シフトが適用されるべきかを判定することと、品質レポートまたはチャネル品質インジケータに基づいて、アップリンク通信におけるレイヤ・シフトを設定することと、のための命令群を実行するプロセッサが提供される。
【００４９】
図８に示すように、無線通信システム８００において、ＭＩＭＯを用いた基地局８１０とアクセス端末８２０との間のアップリンク送信の態様は、アクセス端末８２０のための２つの送信アンテナ８２２ａ、８２２ｂから、基地局８１０のための２つの受信アンテナ８１２ａ、８１２ｂへの２×２ＭＩＭＯリンクを含みうる。基地局８１０およびアクセス端末８２０は、前述した開示にしたがうある詳細に関して構成されうる。ＭＩＭＯリンクは、アンテナ８２２ａとアンテナ８１２ａとの間の第１の空間チャネルｈ１１を含む。これは、レイヤｈ１１とも呼ばれる。ＭＩＭＯリンクは、アンテナ８２２ｂとアンテナ８１２ｂとの間の第２の空間チャネルｈ２２を含む。これは、レイヤｈ２２とも呼ばれる。それに加えて、アンテナ８２２ａとアンテナ８１２ｂとの間にクロス成分ｈ１２が生じ、アンテナ８２２ｂとアンテナ８１２ａとの間にもクロス成分ｈ２１が生じる。
【００５０】
図８に関して、ＭＩＭＯリンクの送信行列Ｈは、いくつかの実施形態において、  
【数１】
0005559324.tif 000002
【００５１】
として定義される。同様に、チャネルｈ１１およびチャネルｈ２２のためのチャネル品質インジケータ（ＣＱＩ）は、それぞれ、  
【数２】
0005559324.tif 000003
【００５２】
として定義される。適用可能な場合、ＣＱＩを計算するためのその他のアルゴリズムも使用されうる。チャネル品質インジケータにおける不均衡は、送信アンテナ間のアンテナ利得不均衡（ＡＧＩ）を示すために使用されうる。基地局は、おのおののチャネルにおける信号対雑音比を学習シーケンスで測定すること、および、前述したような計算を実行することによって、ＣＱＩ値を決定しうる。
【００５３】
図９Ａおよび図９Ｂに示すように、コードワードを用いた無線通信システムにおけるレイヤ・シフトは、ＭＩＭＯリンクの複数のレイヤ間のコードワードのシフトを伴う。図９ａは、非レイヤ・シフト・モードすなわちレイヤ・シフト・ディセーブル・モードを例示する。ここでは、おのおののコードワードが、単一のレイヤで送信される。例えば、レイヤ０ではコードワードｃｗ０のみが、レイヤ１ではコードワードｃｗ１のみが送信される。図９ｂは、レイヤ・シフト・モードすなわちレイヤ・シフト・イネーブル・モードを例示する。ここでは、おのおののコードワードが、定義されたシーケンスで、複数のレイヤで送信される。例えば、コードワードｃｗ０が、レイヤ０、その後レイヤ１で送信され、コードワードｃｗ１がレイヤ１で、その後レイヤ０で送信される。
【００５４】
前述した図面および説明を参照して、アクセス端末から基地局へのアップリンク送信においてレイヤ・シフトを設定する方法１０００は、図１０に示すようなステップおよび動作を含みうる。１００２において、基地局は、ＭＩＭＯ無線通信システムにおいて、アクセス端末との通信セッションを開始しうる。１０２０において、基地局は、アクセス端末と基地局との間の通信のために、ＭＩＭＯシステムのそれぞれのレイヤのチャネル品質インジケータ（ＣＱＩ）を分析しうる。
【００５５】
１０１０において、基地局は、（１０２０における）ＣＱＩ分析に応じて、ＭＩＭＯリンク内の送信アンテナ間にアンテナ利得不均衡があるか否かを判定しうる。例えば、アクセス端末は、２×２ＭＩＭＯ送信に適している場合、少なくとも２つの異なる送信アンテナを有しうる。これは、利得不均衡または利得均衡を表しうる。利得均衡状態と利得不均衡状態とを区別することは、レイヤ・シフト送信を確実に実行するために必要なアンテナ利得不均衡の程度に関連すべきである。本開示における均衡は、必ずしも、アンテナ利得における完全な均等性を意味する訳ではなく、アンテナ利得における不均衡が、レイヤ・シフト送信における顕著な誤りまたはデータ喪失をもたらすほど大きくないことを意味する。
【００５６】
オプションとして、分岐１００８に示すように、基地局は、アクセス端末へ信号を送信し、アクセス端末に対して、アップリンク・チャネル間の信号対雑音比（ＳＮＲ）を等値化するために、ＭＩＭＯ送信アンテナ毎に分配された電力を調整するように指示する（１００６）。基地局は、アップリンク・チャネルにおけるＳＮＲを測定し、ＳＮＲ等値化を容易にするために、アクセス端末に対してフィードバック情報を提供しうる。しかしながら、アクセス端末は、基地局からの信号に応じて、アンテナ毎の電力変調を実行できるように装備されていないのであれば、ステップ１００６は実行されない。
【００５７】
一般に、１０３０に示されるステップは、チャネル品質インジケータを分析することに応じて、アクセス端末と基地局との間のアップリンク通信のために、レイヤ・シフトを、レイヤ・シフト・イネーブルまたはレイヤ・シフト・ディセーブルから選択されたモードに設定することに含まれうる。１０２９および並行するステップ１０３１では、基地局は、レイヤ・シフト・モードを、準静的設定または動的設定に設定するか否かを判定しうる。両設定とも、アクセス端末へシグナリングすることを含みうる。ここでは、動的設定では、より頻繁なシグナリングが使用される。準静的な設定か動的な設定かの選択は、方法１０００の処理ステップとして実施される必要はない。そうではなく、この選択は、設計によって予め定められうる。例えば、基地局は、初期設定および設計に依存して、準静的な設定で常に動作するか、または、動的な設定で常に動作しうる。
【００５８】
１０３３では、準静的な設定が使用されるべきである場合、基地局は、例えば、ラジオ・リソース制御（ＲＲＣ）レイヤを用いて、アクセス端末への高次レイヤ・シグナリングによって、レイヤ・シフトをイネーブルしうる。本開示では、「準静的な設定」は、約１００ミリ秒またはそれよりも長いインタバルで、レイヤ・シフト・モードが変更またはリセットされることを意味する。１０３５では、動的な設定が使用されるべきである場合、基地局は、物理ダウンリンク制御チャネル（ＰＤＣＣＨ）における例えばアップリンク許可ビットのようなビットを用いて、アクセス端末へシグナリングすることによって、レイヤ・シフトをイネーブルしうる。本開示では、「動的な設定」は、約１００ミリ秒未満のインタバルで、レイヤ・シフト・モードが変更またはリセットされることを意味する。１０３７では、基地局は、レイヤ・シフトに対応するＡＣＫ／ＮＡＣＫ信号を設定および送信しうる。例えば、基地局は、ＡＣＫ／ＮＡＣＫバンドリングを用いて、おのおののＰＨＩＣＨを介して複数のコードワードを送信しうる。ここでは、複数のコードワードをアクノレッジ（ＡＣＫ）または否定的なアクノレッジ（ＮＡＣＫ）するために、単一のＰＨＩＣＨしか使用されない。言い換えれば、基地局は、レイヤ・シフトがイネーブル・モードであることに応じて、ＡＣＫ／ＮＡＣＫ信号を、基地局からアクセス端末への複数のコードワード毎の１つの信号として設定しうる。
【００５９】
１０３２において、準静的な設定が使用されるべきである場合、基地局は、アクセス端末への高次レイヤ・シグナリングによって、レイヤ・シフトをディセーブルしうる。１０３４において、動的な設定が使用されるべきである場合、基地局は、ＰＤＣＣＨにおいて、例えばアップリンク許可ビットのようなビットを用いてアクセス端末へシグナルすることによって、レイヤ・シフトをディセーブルしうる。１０３６において、基地局は、非レイヤ・シフトすなわち、ディセーブルされたレイヤ・シフトに対応するＡＣＫ／ＮＡＣＫ信号を設定し送信しうる。例えば、基地局は、個別のＰＨＩＣＨを用いておのおののコードワードを送信しうる。したがって、基地局は、おのおののコードワードをアクノレッジ（ＡＣＫ）または否定的なアクノレッジ（ＮＡＣＫ）するためにおのおののＰＨＩＣＨを使用しうる。言い換えれば、基地局は、レイヤ・シフトがディセーブル・モードであることに応じて、ＡＣＫ／ＮＡＣＫ信号を、基地局からアクセス端末へのコードワード毎の１つの信号として設定しうる。
【００６０】
１０４０では、無線通信セッションが完了し（１０５０）、セッションが終了する（１０６０）まで、基地局は、本明細書に記載された１または複数の無線通信処理およびプロセッサを用いて、アップリンク送信の受信および処理を行いうる。あるいは、無線通信セッションが終了されていないのであれば、アップリンクを継続しうる。したがって、レイヤ・シフトの設定は、アクセス端末との無線通信セッションの間、動的または準静的な設定で変化しうる。
【００６１】
方法１０００に対応して、そして、図１１によってさらに例示されるように、装置１１００は、無線通信システムにおけるノードまたは基地局として機能しうる。装置１１００は、例えば方法１０００に関連して説明されるように、複数入力複数出力（ＭＩＭＯ）無線通信システムのそれぞれのレイヤのチャネル品質インジケータを分析するための電子構成要素またはモジュール１１０１を備えうる。装置１１００は、チャネル品質インジケータを分析することに応じて、アクセス端末と装置１１００との間のアップリンク通信のためのレイヤ・シフトを、レイヤ・シフト・イネーブル・モードおよびレイヤ・シフト・ディセーブル・モードから選択されたモードへ設定するための電子構成要素またはモジュール１１０２を備えうる。
【００６２】
さらに詳しくは、装置１１００は、チャネル品質インジケータを用いてアンテナ利得不均衡を検出することに応じて、アップリンク通信をレイヤ・シフト・ディセーブル・モードに自動的に設定するための電子構成要素またはモジュール１１０４を備えうる。さらに、装置１１００は、チャネル品質インジケータを用いてアンテナ利得均衡を検出することに応じて、アップリンク通信をレイヤ・シフト・イネーブル・モードに自動的に設定するための電子構成要素またはモジュール１１０６を備えうる。利得均衡状態を利得不均衡状態と区別することは、レイヤ・シフト送信を確実に実行するために必要とされるアンテナ利得均衡の程度の経験に基づいてなされうる。本開示における均衡は、アンテナ利得における完全な均等を必要とせず、アンテナ利得における不均衡が、レイヤ・シフト送信における顕著な誤りまたはデータ喪失をもたらすほど大きくないことを意味する。
【００６３】
装置１１００はさらに、モジュール／構成要素１１０２によって選択されたレイヤ・シフト・モードと一致するアクセス端末へ、装置からアクノレッジメントまたは否定的なアクノレッジメント（ＡＣＫ／ＮＡＣＫ）を送信するための電子構成要素またはモジュール１１０３を備えうる。例えば、レイヤ・シフト・ディセーブル・モードが選択されたことに応じて、モジュール／構成要素１１０３は、装置１１００に対して、個別の物理ハイブリッド制御チャネル（ＰＨＩＣＨ）を用いておのおののコードワードを送信させうる。したがって、装置１１００は、おのおののＰＨＩＣＨを用いて、おのおののコードワードをアクノレッジ（ＡＣＫ）または否定的なアクノレッジ（ＮＡＣＫ）する。言い換えれば、装置１１００は、レイヤ・シフトが、ディセーブル・モードであることに応じて、ＡＣＫ／ＮＡＣＫ信号を、装置からアクセス端末へのコードワード毎の１つの信号として設定しうる。レイヤ・シフト・イネーブル・モードが選択されたことに応じて、モジュール／構成要素１１０３は、装置に対して、ＡＣＫ／ＮＡＣＫバンドリングを用いて、おのおののＰＨＩＣＨで複数のコードワードを送信させうる。ここでは、複数のコードワードをアクノレッジ（ＡＣＫ）または否定的なアクノレッジ（ＮＡＣＫ）するために単一のＰＨＩＣＨしか使用されない。言い換えれば、装置１１００は、レイヤ・シフトがイネーブル・モードであることに応じて、装置からアクセス端末への複数のコードワード毎に、１つの信号として、ＡＣＫ／ＮＡＣＫ信号を設定しうる。
【００６４】
装置１１００は、高次レイヤ・シグナリングを用いて装置からアクセス端末へ信号を送信することによって、アップリンク通信のためのレイヤ・シフト・モードを、準静的設定に設定するための電子構成要素またはモジュール１１０５を備えうる。さらに、装置１１００は、物理ダウンリンク制御チャネル（ＰＤＣＣＨ）におけるビットを用いて、アップリンク通信のためのレイヤ・シフト・モードを、動的設定に設定するための電子構成要素またはモジュール１１０７を備えうる。例えば、モジュール１１０７は、レイヤ・シフト・モードでアップリンク送信するか否かをアクセス端末に示すために、アップリンク許可において指定されたビットの値を制御しうる。
【００６５】
装置１１００は、オプションで、装置１１００の場合には、汎用マイクロプロセッサではなく、通信ネットワーク・エンティティとして設定されている、少なくとも１つのプロセッサを有するプロセッサ・モジュール１１１８を含みうる。この場合、プロセッサ１１１８は、バス１１１２または類似の通信カップリングによって、モジュール１１０１−１１０７と動作可能に通信しうる。プロセッサ１１１８は、電子構成要素１１０１−１１０７によって実行される処理または機能の開始およびスケジューリングを有効にしうる。
【００６６】
関連する態様では、装置１１００は、トランシーバ・モジュール１１１４を含みうる。トランシーバ１１１４の代わりに、あるいは、トランシーバ１１１４と連携して、スタンド・アロン受信機および／またはスタント・アロン送信機が使用されうる。関連するさらなる態様では、装置１１００は、オプションとして、例えばメモリ・デバイス／モジュール１１１６のように、情報を格納するためのモジュールを含みうる。コンピュータ読取可能な媒体またはメモリ・モジュール１１１６が、バス１１１２等によって、装置１１００のその他の構成要素に動作可能に接続されうる。メモリ・モジュール１１１６は、モジュール１１０１−１１０７、これらのサブ構成要素、またはプロセッサ１３１８、あるいは、本明細書で開示された方法の処理および動作、および、無線通信のためのその他の動作を有効にするためのコンピュータ読取可能な命令群およびデータを格納するように適応されうる。メモリ・モジュール１１１６は、モジュール１１０１−１１０７に関連付けられた機能を実行するための命令群を保持しうる。メモリ１１１６の外側にあるとして示されているが、モジュール１１０１−１１０７は、少なくともメモリ１１１６の内側の少なくとも一部を含みうる。
【００６７】
関連するさらなる態様では、メモリ１１１６はオプションとして、（ａ）無線通信システムのノードを用いて、複数入力複数出力無線通信システムのそれぞれのレイヤのチャネル品質インジケータを分析することと、（ｂ）チャネル品質インジケータを分析することに応じて、アクセス端末とノードとの間のアップリンク通信のためのレイヤ・シフトを、レイヤ・シフト・イネーブルまたはレイヤ・シフト・ディセーブルから選択されたモードに設定することと、からなる各ステップを備える方法を装置１１００に対して実行させるためのモジュール１１０１−１１０７のうちの１つおよび／またはプロセッサ・モジュール１１１８のための実行可能なコードを含みうる。例えば、この方法は、チャネル品質インジケータを用いてアンテナ利得不均衡を検出することに応じて、アップリンク送信をレイヤ・シフト・ディセーブル・モードに設定することを備えうる。反対に、例えば、この方法は、チャネル品質インジケータを用いてアンテナ利得均衡を検出することに応じて、アップリンク送信をレイヤ・シフト・イネーブル・モードに設定することを備えうる。
【００６８】
この方法はまた、チャネル品質インジケータを用いてアンテナ利得不均衡を検出することに応じて、アクセス端末に対して、レイヤ毎の信号対雑音比を等値化するために、送信アンテナ毎の電力を調整するように指示することを備えうる。この方法は、レイヤ・シフト・イネーブルまたはレイヤ・シフト・ディセーブルから選択されたモードにしたがって、ノードからアクセス端末へのアクノレッジメント／否定的なアクノレッジメント（ＡＣＫ／ＮＡＣＫ）信号を設定することを備えうる。この方法は、アクセス端末への高次レイヤ・シグナリングによって、レイヤ・シフト・モードを準静的設定に設定することを備えうる。この方法は、物理ダウンリンク制御チャネルでアクセス端末へ送信されたビットを用いて、レイヤ・シフト・モードを動的設定に設定することを備えうる。同様に、メモリ１１１６は、オプションとして、装置１１００に対して、前述した図１０に関連してすでに説明された方法１０００を実行させるプロセッサ・モジュール１１１８のための実行可能なコードを含みうる。
【００６９】
その代わりに、または、それに加えて、レイヤ・シフトを、アクセス端末から基地局へのアップリンク送信に設定するための方法１２００は、図１２に示すようなステップおよび動作を含みうる。１２０２において、基地局は、ＭＩＭＯ無線通信システムにおいて、アクセス端末との通信セッションを開始しうる。１２０４において、基地局は、例えば、アクセス端末への問い合わせ、および、返信の受信によって、アクセス端末のためのユーザ機器カテゴリ・レポートを取得しうる。
【００７０】
１２１０において、基地局は、このカテゴリ・レポートからの情報を用いて、アクセス端末が、ＭＩＭＯアップリンク送信リンクの異なる送信アンテナにおいて、異なる電力増幅を有しているか否かを判定しうる。例えば、アクセス端末は、２×２ＭＩＭＯ送信に適している場合、両アンテナのために同一または実質的に同一の電力増幅を持つ少なくとも２つの異なる送信アンテナを有しうる。逆に、カテゴリ・レポートは、アクセス端末が、両送信アンテナのために同一または実質的に同一の電力増幅を持たないことを示しうる。「同一または実質的に同一の電力増幅」を構成するものは、特定のアクセス端末と、送信に含まれる受信ノードとのためのパラメータに依存しうる。受信基地局を用いて測定可能であるように、適応可能なアップリンクＭＩＭＯ空間チャネルのために実質的に同じ平均チャネル品質にならない場合、アクセス端末からの電力増幅は、異なるアンテナにおいて、「実質的に同一ではない」または「異なる」と考えられるべきである。反対に、受信基地局によって測定可能であるように、適用可能なアップリンクＭＩＭＯ空間チャネルのために実質的に同じ平均チャネル品質になる場合、アクセス端末からの電力増幅は、異なるアンテナにおいて、「実質的に同一である」または「等価である」と考えられるべきである。例えば、電力増幅が、アクセス端末のすべての送信アンテナについて正確に同じであれば、基地局における平均チャネル品質は、もじも正確ではない場合、実質的に同じであるべきである。さらなる例の場合、アクセス端末において、電力増幅が、５０％（例えば、しきい値）よりも異なる場合、基地局における平均チャネル品質は、しばしば、実質的に異なりうる。異なる送信アンテナの電力増幅が「異なっている」か「実質的に異なっている」ことを判定するために、その他のしきい値またはその他いくつかの測定値が適用されうることが理解されるべきである。
【００７１】
一般に、１２１５において示されるステップは、アクセス端末が、複数の送信アンテナのうちの異なるアンテナのために異なる電力増幅を有しているかを判定することに応答して、アクセス端末から基地局へのアップリンク通信のためのレイヤ・シフトを、レイヤ・シフト・イネーブルまたはレイヤ・シフト・ディセーブルから選択されたモードへ設定することに含まれうる。１２２０および並行するステップ１２３０では、基地局が、例えば、高次レイヤ・シグナリングのような、アクセス端末へのシグナリングを用いて、レイヤ・シフト・モードを設定するか否かを判定しうる。１２２０または１２３０に例示されるような判定を行うことの代わりに、アップリンク送信のためにレイヤ・シフトを設定する方式が、予め定められうる。すなわち、例えば、基地局へのすべてのアップリンク送信のために、アクセス端末へのシグナリングを用いることが予め定められうる。あるいは、それとは別に、基地局へのすべてのアップリンク送信のために、シグナリング無しで１対１のマッピングを用いることが予め定められうる。
【００７２】
１２３２では、シグナリングが使用されるべきであり、アクセス端末が、異なる送信アンテナに異なる電力増幅を有していない場合、基地局は、高次レイヤ・シグナリングによるアクセス端末へのレイヤ・シフトをイネーブルしうる。１２３４では、シグナリングが使用されるべきはなく、アクセス端末が、異なる送信アンテナに異なる電力増幅を有していない場合、基地局は、アクセス端末への高次レイヤ・シグナリング無しで、１対１のマッピングによって、レイヤ・シフトをイネーブルしうる。１２３６では、基地局は、レイヤ・シフトに対応するＡＣＫ／ＮＡＣＫ信号を設定し送信しうる。例えば、基地局は、ＡＣＫ／ＮＡＣＫバンドリングを用いて、おのおののＰＨＩＣＨで複数のコードワードを送信しうる。ここでは、複数のコードワードをアクノレッジ（ＡＣＫ）または否定的なアクノレッジ（ＮＡＣＫ）するために単一のＰＨＩＣＨしか使用されない。言い換えれば、レイヤ・シフトがイネーブル・モードであることに応じて、基地局は、ＡＣＫ／ＮＡＣＫ信号を、基地局からＡＴへの複数のコードワード毎の１つの信号として設定しうる。
【００７３】
１２２２では、シグナリングが使用されるべきであり、アクセス端末が、異なる送信アンテナについて異なる電力増幅を有している場合、基地局は、アクセス端末への高次レイヤ・シグナリングによって、レイヤ・シフトをディセーブルしうる。１２２４では、シグナリングが使用されるべきではなく、アクセス端末が、異なる送信アンテナについて異なる電力増幅を有している場合、基地局は、アクセス端末への高次レイヤ・シグナリング無しで、１対１のマッピングによって、レイヤ・シフトをディセーブルしうる。１２２６では、基地局は、非レイヤ・シフトに対応するＡＣＫ／ＮＡＣＫ信号を設定し送信しうる。例えば、基地局は、個別のＰＨＩＣＨを用いて、おのおののコードワードを送信しうる。したがって、基地局は、おのおののコードワードをアクノレッジ（ＡＣＫ）または否定的なアクノレッジ（ＮＡＣＫ）するために、おのおののＰＨＩＣＨを使用しうる。言い換えれば、レイヤ・シフトがディセーブル・モードであることに応じて、基地局は、ＡＣＫ／ＮＡＣＫ信号を、基地局からアクセス端末へのコードワード毎の１つの信号として設定しうる。
【００７４】
１２４０では、基地局は、無線通信セッションが終了する（１２５０）まで、本明細書に記載された１または複数の無線通信処理またはプロセッサを用いてアップリンクを受信して処理する。あるいは、終了しない場合には、アップリンクを継続する。レイヤ・シフトの設定は、アクセス端末との無線通信セッションの間、不変のままでありうる。
【００７５】
方法１２００に対応して、そして、図１３によってさらに例示されるように、装置１３００は、無線通信システムにおけるノードまたは基地局として機能しうる。装置１３００は、複数入力複数出力（ＭＩＭＯ）無線通信システムにおいて、アクセス端末からユーザ機器カテゴリ・レポートを受信し、このカテゴリ・レポートから、アクセス端末が、ＭＩＭＯ通信で使用される複数の送信アンテナのうちの異なるアンテナのために異なる電力増幅（ＰＡ）を有しているか否かを判定する、ための電子構成要素またはモジュール１３０１を備えうる。装置１３００は、アクセス端末が、ＭＩＭＯ通信で使用される複数の送信アンテナのうちの異なるアンテナのために異なるＰＡを有しているかを判定することに応じて、アクセス端末と装置１３００との間のアップリンク通信のためのレイヤ・シフトを、レイヤ・シフト・イネーブル・モードおよびレイヤ・シフト・ディセーブル・モードから選択されたモードへ設定するための電子構成要素またはモジュール１３０２を備えうる。
【００７６】
さらに詳しくは、装置１３００は、アクセス端末が、複数の送信アンテナのうちの異なるアンテナのために異なる電力増幅を有していると判定されることに応じて、アップリンク通信を、レイヤ・シフト・ディセーブル・モードに設定するための電子構成要素またはモジュール１３０４を備えうる。同様に、装置１３００は、アクセス端末が、複数の送信アンテナのうちの異なるアンテナのために等しい電力増幅を有していると判定されることに応じて、アップリンク通信を、レイヤ・シフト・イネーブル・モードに設定するための電子構成要素またはモジュール１３０６を備えうる。
【００７７】
「異なる電力増幅」または「等価な電力増幅」の正確な意味は、送信に含まれる受信ノードおよび特定のアクセス端末のためのパラメータに依存する。受信装置１３００によって測定可能となるように、適用可能なアップリンクＭＩＭＯ空間チャネルについて実質的に同じ平均チャネル品質にならないのであれば、アクセス端末からの電力増幅は、異なるアンテナについて「異なる」と考えられるべきである。反対に、受信装置１３００によって測定可能となるように、適用可能なアップリンクＭＩＭＯ空間チャネルについて実質的に同じ平均チャネル品質になるのであれば、アクセス端末からの電力増幅は、異なるアンテナについて「等価である」と考えられるべきである。例えば、電力増幅が、アクセス端末のすべての送信アンテナについて正確に同じである場合、装置１３００における平均チャネル品質は、もしも正確ではない場合、実質的に同じであるべきである。さらなる例の場合、電力増幅がアクセス端末において５０％よりも異なる場合、装置１３００の平均チャネル品質は、しばしば、実質的に異なりうる。
【００７８】
装置１３００はさらに、モジュール／構成要素１３０２によって選択されたレイヤ・シフト・モードに対応して、装置からアクセス端末へアクノレッジメントまたは非アクノレッジメント（ＡＣＫ／ＮＡＣＫ）信号を送信するための電子構成要素またはモジュール１３０３を備えうる。例えば、レイヤ・シフト・ディセーブル・モードが選択されたことに応じて、モジュール／構成要素１３０３は、装置に対して、個別の物理ハイブリッド制御チャネル（ＰＨＩＣＨ）を用いておのおののコードワードを送信させうる。したがって、装置は、おのおののコードワードをアクノレッジ（ＡＣＫ）または否定的なアクノレッジ（ＮＡＣＫ）するためにおのおののＰＨＩＣＨを使用する。すなわち、装置１３００は、レイヤ・シフトがディセーブル・モードであることに応じて、ＡＣＫ／ＮＡＣＫ信号を、基地局からアクセス端末へのコードワード毎の１つの信号として設定しうる。レイヤ・シフト・イネーブル・モードが選択されたことに応じて、モジュール／構成要素１３０３は、装置に対して、ＡＣＫ／ＮＡＣＫバンドリングを用いて、おのおののＰＨＩＣＨで複数のコードワードを送信させうる。ここでは、複数のコードワードをアクノレッジ（ＡＣＫ）または否定的なアクノレッジ（ＮＡＣＫ）するために単一のＰＨＩＣＨしか使用されない。言い換えれば、レイヤ・シフトがイネーブル・モードであることに応じて、装置は、ＡＣＫ／ＮＡＣＫ信号を、基地局からアクセス端末への複数のコードワード毎の１つの信号として設定しうる。
【００７９】
装置１３００は、高次レイヤ・シグナリングを用いて、装置からアクセス端末へ信号を送信することによって、アップリンク通信ためにレイヤ・シフト・モードを設定するための電子構成要素またはモジュール１３０５を備えうる。あるいは、または、それに加えて、装置１３００は、装置からアクセス端末へ信号を送信せず、その代わりに、アクセス端末における電力増幅差の状態に対応する予め定められた１対１のマッピングを用いて、アップリンク通信のためにレイヤ・シフト・モードを設定するための電子構成要素またはモジュール１３０７を備えうる。
【００８０】
装置１３００は、オプションとして、装置１３００が汎用マイクロプロセッサではなくて、通信ネットワーク・エンティティとして設定されている場合、少なくとも１つのプロセッサを有するプロセッサ・モジュール１３１８を含みうる。この場合、プロセッサ１３１８は、バス１３１２または類似の通信カップリングによって、モジュール１３０１−１３０７と動作可能に通信しうる。プロセッサ１３１８は、電子構成要素１３０１−１３０７によって実行される処理または機能の開始およびスケジューリングを有効にしうる。
【００８１】
関連する態様では、装置１３００は、トランシーバ・モジュール１３１４を含みうる。トランシーバ１３１４の代わりに、あるいは、トランシーバ１３１４と連携して、スタンド・アロン受信機、および／または、スタント・アロン送信機が使用されうる。関連するさらなる態様では、装置１３００は、オプションとして、例えばメモリ・デバイス／モジュール１３１６のように、情報を格納するためのモジュールを含みうる。コンピュータ読取可能な媒体またはメモリ・モジュール１３１６が、バス１３１２等によって、装置１３００のその他の構成要素に動作可能に接続されうる。メモリ・モジュール１３１６は、モジュール１３０１−１３０７、これらのサブ構成要素、またはプロセッサ１３１８、あるいは、本明細書で開示された方法、および無線通信のためのその他の動作の処理および挙動を有効にするためのコンピュータ読取可能な命令群およびデータを格納するように適応されうる。メモリ・モジュール１３１６は、モジュール１３０１−１３０７に関連付けられた機能を実行するための命令群を保持しうる。メモリ１３１６の外側にあると示されているが、モジュール１３０１−１３０７は、メモリ１３１６の内側に少なくとも部分的に存在しうることが理解されるべきである。
【００８２】
さらに関連する態様では、メモリ１３１６はオプションとして、（ａ）複数入力複数出力無線通信システムにおけるアクセス端末からのユーザ機器カテゴリ・レポートを用いて、アクセス端末が、複数の送信アンテナのうちの異なるアンテナのために異なる電力増幅（ＰＡ）を有しているかを判定することと、（ｂ）アクセス端末が、複数の送信アンテナのうちの異なるアンテナのために異なるＰＡを有しているかを判定することに応じて、アクセス端末から基地局へのアップリンク通信のためのレイヤ・シフトを、レイヤ・シフト・イネーブルまたはレイヤ・シフト・ディセーブルから選択されたモードへ設定することと、からなる各ステップを備える方法を装置１３００に対して実行させるためのモジュール１３０１−１３０７のうちの１つおよび／またはプロセッサ・モジュール１３１８のための実行可能なコードを含みうる。この方法は、アクセス端末が、複数の送信アンテナのうちの異なるアンテナのために異なるＰＡを有していないとの判定に応じて、アクセス端末を、レイヤ・シフト・イネーブル・モードに設定することを備えうる。この方法は、アクセス端末が、複数の送信アンテナのうちの異なるアンテナのために異なるＰＡを有しているとの判定に応じて、アクセス端末をレイヤ・シフト・ディセーブル・モードに設定することを備えうる。この方法は、アクセス端末への高次レイヤ・シグナリングによって、レイヤ・シフト・モードを設定することを備えうる。この方法は、アクセス端末への高次レイヤ・シグナリングまたはその他の相応するシグナリング無しで、基地局とアクセス端末との間の予め定められた１対１のマッピングを用いてレイヤ・シフトを設定することを備えうる。同様に、メモリ１３１６は、オプションとして、装置１３００に対して、図１２に関連して上述されたような方法１２００を実行させるためのプロセッサ・モジュール１３１８のための実行可能なコードを含みうる。
【００８３】
態様では、無線通信の論理チャネルは、制御チャネルおよびトラフィック・チャネルに分類されうる。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。論理トラフィック・チャネルは、ユーザ情報の転送のために、１つのＵＥに特化されたポイント・トゥ・ポイント双方向チャネルである専用トラフィック・チャネル（ＤＴＣＨ）を備える。トラフィック・データを送信するためのポイント・トゥ・マルチポイントＤＬチャネルのためのマルチキャスト・トラフィック・チャネル（ＭＴＣＨ）を備える。
【００８４】
伝送チャネルは、ＤＬとＵＬに分類される。ＤＬ伝送チャネルは、ブロードキャスト・チャネル（ＢＣＨ）、ダウンリンク共有データ・チャネル（ＤＬ−ＳＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有チャネル（ＵＬ−ＳＣＨ）、および複数のＰＨＹチャネルを備える。ＰＨＹチャネルは、ＤＬチャネルとＵＬチャネルとのセットを備える。
【００８５】
ＤＬ  ＰＨＹチャネルは以下を備える。物理ダウンリンク共有チャネル（ＰＤＳＣＨ）、物理ブロードキャスト・チャネル（ＰＢＳＨ）、物理マルチキャスト・チャネル（ＰＭＣＨ）、物理ダウンリンク制御チャネル（ＰＤＣＣＨ）、物理ハイブリッド自動反復要求インジケータ・チャネル（ＰＨＩＣＨ）、および、物理制御フォーマット・インジケータ・チャネル（ＰＣＦＩＣＨ）。
【００８６】
ＵＬ  ＰＨＹチャネルは以下を備える。物理ランダム・アクセス・チャネル（ＰＲＡＣＨ）、物理アップリンク共有チャネル（ＰＵＳＣＨ）、および、物理アップリンク制御チャネル（ＰＵＣＣＨ）。
【００８７】
本明細書では、さまざまな態様が、端末に関して記載されることに注目されたい。端末はまた、システム、ユーザ機器、ユーザ・デバイス、加入者ユニット、加入者局、移動局、モバイル・デバイス、遠隔局、遠隔端末、アクセス端末、ユーザ端末、ユーザ・エージェント、あるいはアクセス端末とも称されうる。ユーザ・デバイスは、セルラ電話、コードレス電話、セッション初期化プロトコル（ＳＩＰ）電話、無線ローカル・ループ（ＷＬＬ）局、ＰＤＡ、無線接続機能を有する携帯型デバイス、端末内モジュール、（例えば、ＰＣＭＣＩＡカードのように）ホスト・デバイスに接続または統合されたカード、あるいは、無線モデムに接続されたその他の処理デバイスでありうる。
【００８８】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００８９】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【００９０】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００９１】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【００９２】
さらに、本明細書に開示された態様に関連して記載された例示的なさまざまな論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロプロセッサでありうるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。
【００９３】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能デバイス、キャリア、または媒体からアクセスすることが可能なコンピュータ・プログラムを含むことが意図される。例えば、コンピュータ読取可能な媒体は、限定される訳ではないが、  磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能電子データを搬送するために、搬送波が適用されうることが認識されるべきである。もちろん、当業者であれば、開示された態様のスコープから逸脱することなく多くの変形が、この構成とされうることを認識するだろう。
【００９４】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００９５】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の実施形態に適用されうる。このように、本開示は、本明細書で示された実施形態に限定されるものではなく、本明細書で開示された原理および新規な特徴に一致した最も広い範囲に相当することが意図されている。
【００９６】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される製造物品という用語は、任意のコンピュータ読取可能なデバイス、キャリア、または媒体からアクセスすることが可能なコンピュータ・プログラムを含むことが意図される。
【００９７】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に、出願時の特許請求の範囲に記載された発明を付記する。
［発明１］
無線通信のための方法であって、
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備える、
を備える方法。
［発明２］
前記チャネル品質インジケータを用いてアンテナ利得不均衡を検出することと、
レイヤ毎の信号対雑音比を等値化するために、送信アンテナ毎の電力を調整するようにユーザ機器（ＵＥ）に対して指示することと、
を備える発明１に記載の方法。
［発明３］
前記チャネル品質インジケータを用いてアンテナ利得不均衡を検出することをさらに備え、
前記設定を決定することは、前記レイヤ・シフト・ディセーブル・モードを選択することを備える、発明１に記載の方法。
［発明４］
前記チャネル品質インジケータを用いてアンテナ利得均衡を検出することをさらに備え、
前記設定を決定することは、前記レイヤ・シフト・イネーブル・モードを選択することを備える、発明１に記載の方法。
［発明５］
アクノレッジメント／否定的なアクノレッジメント（ＡＣＫ／ＮＡＣＫ）信号をユーザ機器（ＵＥ）へ送信することをさらに備え、
前記設定が、前記レイヤ・シフト・ディセーブル・モードであるべきと決定された場合、前記ＡＣＫ／ＮＡＣＫ信号が、コードワード毎に１つの信号として送信され、
前記設定が、前記レイヤ・シフト・イネーブル・モードであるべきと決定された場合、前記ＡＣＫ／ＮＡＣＫ信号が、複数のコードワード毎に１つの信号として送信される、発明１に記載の方法。
［発明６］
ユーザ機器（ＵＥ）への高次レイヤ・シグナリングによって、前記アップリンク通信のための設定を、準静的な設定で実施することをさらに備える、発明１に記載の方法。
［発明７］
物理ダウンリンク制御チャネルによって、ユーザ機器（ＵＥ）へ送信されたインジケータを用いて、前記アップリンク通信のための設定を、動的な設定で実施することをさらに備える、発明１に記載の方法。
［発明８］
無線通信のための装置であって、
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備える、
のための命令群を保持するメモリと、
前記命令群を実行するプロセッサと、
を備える装置。
［発明９］
前記メモリはさらに、
前記チャネル品質インジケータを用いてアンテナ利得不均衡を検出することと、
レイヤ毎の信号対雑音比を等値化するために、送信アンテナ毎の電力を調整するようにユーザ機器（ＵＥ）に対してシグナルすることと、
のための命令群を保持する、発明８に記載の装置。
［発明１０］
前記メモリはさらに、前記チャネル品質インジケータを用いてアンテナ利得不均衡を検出するための命令群を保持し、
前記設定を決定するための命令群は、前記レイヤ・シフト・ディセーブル・モードを選択するための命令群を備える、発明８に記載の装置。
［発明１１］
前記メモリはさらに、前記チャネル品質インジケータを用いてアンテナ利得均衡を検出するための命令群を保持し、
前記設定を決定するための命令群は、前記レイヤ・シフト・イネーブル・モードを選択するための命令群を備える、発明８に記載の装置。
［発明１２］
前記メモリはさらに、アクノレッジメント／否定的なアクノレッジメント（ＡＣＫ／ＮＡＣＫ）信号をユーザ機器（ＵＥ）へ送信するための命令群を保持し、
前記設定が、前記レイヤ・シフト・ディセーブル・モードであるべきと決定された場合、前記ＡＣＫ／ＮＡＣＫ信号が、コードワード毎に１つの信号として送信され、
前記設定が、前記レイヤ・シフト・イネーブル・モードであるべきと決定された場合、前記ＡＣＫ／ＮＡＣＫ信号が、複数のコードワード毎に１つの信号として送信される、発明８に記載の装置。
［発明１３］
前記メモリはさらに、ユーザ機器（ＵＥ）への高次レイヤ・シグナリングによって、前記設定を、準静的な設定で実施するための命令群を保持する、発明８に記載の装置。
［発明１４］
前記メモリはさらに、物理ダウンリンク制御チャネルによって、ユーザ機器（ＵＥ）へ送信されたインジケータを用いて、前記設定を、動的な設定で実施するための命令群を保持する、発明８に記載の装置。
［発明１５］
無線通信のための装置であって、
複数入力複数出力（ＭＩＭＯ）無線通信システムのそれぞれのチャネルのチャネル品質インジケータを分析する手段と、
前記チャネル品質インジケータに少なくとも部分的に基づいて、アップリンク通信のための設定を決定する手段と、ここで、前記設定は、レイヤ・シフト・イネーブル・モードおよびレイヤ・シフト・ディセーブル・モードのうちの１つを備える、
を備える装置。
［発明１６］
ユーザ機器（ＵＥ）への高次レイヤ・シグナリングによって、前記設定を、準静的な設定で実施する手段をさらに備える、発明１５に記載の装置。
［発明１７］
物理ダウンリンク制御チャネルによって、ユーザ機器（ＵＥ）へ送信されたインジケータを用いて、前記設定を、動的な設定で実施する手段をさらに備える、発明１５に記載の装置。
［発明１８］
前記チャネル品質インジケータを用いてアンテナ利得均衡を検出する手段をさらに備え、
前記設定を決定する手段は、前記レイヤ・シフト・イネーブル・モードを選択する手段を備える、発明１５に記載の装置。
［発明１９］
前記チャネル品質インジケータを用いてアンテナ利得不均衡を検出する手段をさらに備え、
前記設定を決定する手段は、前記レイヤ・シフト・ディセーブル・モードを選択する手段を備える、発明１５に記載の装置。
［発明２０］
複数入力複数出力（ＭＩＭＯ）無線通信システムのそれぞれのレイヤのチャネル品質インジケータを分析することと、
前記チャネル品質インジケータに少なくとも部分的に基づいて、アップリンク通信のための設定を決定することと、ここで、前記設定は、レイヤ・シフト・イネーブル・モードおよびレイヤ・シフト・ディセーブル・モードのうちの１つを備える、
をプロセッサに対して実行させるように構成された、コード化された命令群を保持するコンピュータ読取可能な記録媒体を備える、コンピュータ・プログラム製品。
［発明２１］
前記コンピュータ読取可能な記録媒体はさらに、ユーザ機器への高次レイヤ・シグナリングによって、前記設定を、準静的な設定で実施するための命令群を保持する、発明２０に記載のコンピュータ・プログラム製品。
［発明２２］
前記コンピュータ読取可能な記録媒体はさらに、物理ダウンリンク制御チャネルによって、ユーザ機器（ＵＥ）へ送信されたインジケータを用いて、前記設定を、動的な設定で実施するための命令群を保持する、発明２０に記載のコンピュータ・プログラム製品。
［発明２３］
無線通信のための方法であって、
複数入力複数出力（ＭＩＭＯ）無線通信システムにおけるユーザ機器（ＵＥ）からのレポートを用いて、ＵＥが複数のアンテナのうちの異なるアンテナのために異なる電力増幅（ＰＡ）を適用するかを判定することと、
前記判定に少なくとも部分的に基づいて、アップリンク通信のためのレイヤ・シフトを設定することと、
を備える方法。
［発明２４］
前記設定することは、前記ＵＥが、複数のアンテナのうちの異なるアンテナのために異なるＰＡを適用しないとの判定に応じて、前記アップリンク通信のためのレイヤ・シフトをイネーブルすることを備える、発明２３に記載の方法。
［発明２５］
前記設定することは、前記ＵＥが、複数のアンテナのうちの異なるアンテナのために異なるＰＡを適用するとの判定に応じて、前記アップリンク通信のためのレイヤ・シフトをディセーブルすることを備える、発明２３に記載の方法。
［発明２６］
前記設定することは、前記ＵＥへの高次レイヤ・シグナリングによって、レイヤ・シフトを設定することを備える、発明２３に記載の方法。
［発明２７］
前記設定することは、前記ＵＥと基地局との間の予め定められた１対１のマッピングを用いることによって、レイヤ・シフトを設定することを備える、発明２３に記載の方法。
［発明２８］
無線通信のための装置であって、
複数入力複数出力（ＭＩＭＯ）無線通信システムにおけるユーザ機器（ＵＥ）からのレポートを用いて、前記ＵＥが複数のアンテナのうちの異なるアンテナのために異なる電力増幅（ＰＡ）を適用するかを判定するための命令群と、
前記判定に少なくとも部分的に基づいて、アップリンク通信のためのレイヤ・シフトを設定するための命令群と、
を保持するメモリと、
前記命令群を実行するプロセッサと、
を備える装置。
［発明２９］
前記メモリはさらに、前記ＵＥが、複数のアンテナのうちの異なるアンテナのために異なるＰＡを適用しないとの判定に応じて、前記アップリンク通信のためのレイヤ・シフトをイネーブルするための命令群を保持し、
前記メモリはさらに、前記ＵＥが、複数のアンテナのうちの異なるアンテナのために異なるＰＡを適用するとの判定に応じて、前記アップリンク通信のためのレイヤ・シフトをディセーブルするための命令群を保持する、発明２８に記載の装置。
［発明３０］
前記メモリはさらに、前記ＵＥへの高次レイヤ・シグナリングによって、前記レイヤ・シフトを設定するための命令群を保持する、発明２８に記載の装置。
［発明３１］
前記メモリはさらに、前記ＵＥと基地局との間の予め定められた１対１のマッピングを用いることによって、前記レイヤ・シフトを設定するための命令群を保持する、発明２８に記載の装置。
［発明３２］
無線通信のための装置であって、
複数入力複数出力（ＭＩＭＯ）無線通信システムにおけるユーザ機器（ＵＥ）からのレポートを用いて、前記ＵＥが複数のアンテナのうちの異なるアンテナのために異なる電力増幅（ＰＡ）を適用するかを判定する手段と、
前記判定に少なくとも部分的に基づいて、アップリンク通信のためのレイヤ・シフトを設定する手段と、
を備える装置。
［発明３３］
前記設定する手段は、前記ＵＥへの高次レイヤ・シグナリングによって、レイヤ・シフト・モードを設定する手段を備える、発明３２に記載の装置。
［発明３４］
前記ＵＥと基地局との間の予め定められた１対１のマッピングを用いて、前記レイヤ・シフトを設定する手段をさらに備える、発明３２に記載の装置。
［発明３５］
前記レイヤ・シフトを設定する手段は、前記ＵＥが、複数のアンテナのうちの異なるアンテナのために異なるＰＡを適用しないとの判定に応じて、前記アップリンク通信のためのレイヤ・シフトをイネーブルする手段を備え、
前記レイヤ・シフトを設定する手段は、前記ＵＥが、複数のアンテナのうちの異なるアンテナのために異なるＰＡを適用するとの判定に応じて、前記アップリンク通信のためのレイヤ・シフトをディセーブルする手段を備える、発明３２に記載の装置。
［発明３６］
複数入力複数出力（ＭＩＭＯ）無線通信システムにおけるユーザ機器（ＵＥ）からのレポートを用いて、前記ＵＥが複数のアンテナのうちの異なるアンテナのために異なる電力増幅（ＰＡ）を適用するかを判定することと、
前記判定に少なくとも部分的に基づいて、アップリンク通信のためのレイヤ・シフトを設定することと、
をプロセッサに対して実行させるように構成された、コード化された命令群を保持するコンピュータ読取可能な記録媒体を備える、コンピュータ・プログラム製品。
［発明３７］
前記コンピュータ読取可能な媒体はさらに、前記ＵＥへの高次レイヤ・シグナリングによって、前記レイヤ・シフトを設定するための命令群を保持する、発明３６に記載のコンピュータ・プログラム製品。
［発明３８］
前記コンピュータ読取可能な媒体はさらに、前記ＵＥと基地局との間の予め定められた１対１のマッピングを用いて、前記レイヤ・シフトを設定するための命令群を保持する、発明３６に記載のコンピュータ・プログラム製品。
【図１】
0005559324.tif 000004
【図２】
0005559324.tif 000005
【図３】
0005559324.tif 000006
【図４】
0005559324.tif 000007
【図５】
0005559324.tif 000008
【図６】
0005559324.tif 000009
【図７】
0005559324.tif 000010
【図８】
0005559324.tif 000011
【図９Ａ】
0005559324.tif 000012
【図９Ｂ】
0005559324.tif 000013
【図１０】
0005559324.tif 000014
【図１１】
0005559324.tif 000015
【図１２】
0005559324.tif 000016
【図１３】
0005559324.tif 000017